(57)【要約】【課題】引込み線の張力の増加を確実に吸収し得るとともに、元の状態に戻すための復旧作業を容易とすることができる引込み線支持装置を提供する。【解決手段】建物に固定されつつ電線の引込み線を支持するための引込み線支持装置１において、円筒状に形成され、その一端から引込み線の一部と連結されたワイヤ６が挿通された支持装置本体２と、該支持装置本体２内に配設され、ワイヤ６の基端を係止するとともに、当該支持装置本体２内における長手方向に移動可能な摺動部材１１と、該摺動部材１１と支持装置本体２の一端との間に配設されたコイルスプリング７ａ〜７ｃと、摺動部材１１を支持装置本体２内の所定位置に保持すべく所定の力で押圧する保持手段３とを備えたものである。【選択図】  図３
2004173470.tif 000002
【特許請求の範囲】
【請求項１】
建物に固定されつつ電線の引込み線を支持するための引込み線支持装置において、
円筒状に形成され、その一端から引込み線の一部と連結されたワイヤが挿通された支持装置本体と、
該支持装置本体内に配設され、前記ワイヤの基端を係止するとともに、当該支持装置本体内における長手方向に移動可能な摺動部材と、
該摺動部材と前記支持装置本体の一端との間に配設された弾性部材と、
前記摺動部材を前記支持装置本体内の所定位置に保持すべく所定の力で押圧する保持手段と、
を備えたことを特徴とする引込み線支持装置。
【請求項２】
前記保持手段は、
前記摺動部材に当接可能な当接部と、
該当接部を前記摺動部材に対して押圧する方向に付勢する圧縮コイルスプリングと、
該圧縮コイルスプリングの縮み量を任意に調整して前記当接部の摺動部材に対する押圧力を調整する調整手段と、
を備えたことを特徴とする請求項１記載の引込み線支持装置。
【請求項３】
前記支持装置本体から延設されつつ先端が開口した筒状の第１収容部と、該第１収容部の先端側に螺合されて当該第１収容部の開口を覆うことが可能な第２収容部とが設けられ、これら第１収容部と第２収容部とが成す内部空間に前記圧縮コイルスプリングを収容するとともに、前記第２収容部の螺合位置を任意に調整することにより、当該圧縮コイルスプリングの縮み量が調整されることを特徴とする請求項２記載の引込み線支持装置。
【請求項４】
前記第２収容部の最適な螺合位置を作業者に表示するための目盛りが前記第１収容部の側面に設けられたことを特徴とする請求項３記載の引込み線支持装置。
【発明の詳細な説明】
【０００１】
【発明の属する技術分野】
本発明は、建物に固定されつつ電線の引込み線を支持するための引込み線支持装置に関し、特に引込み線からの張力が増加した場合に、その張力を緩和させることができる引込み線支持装置に関する。
【０００２】
【従来の技術】
電線の本線から引込み線を建物に引き込むためには、一般に、建物に固定されつつ当該引込み線を支持するための引込み線支持装置が広く用いられている。かかる一般的な引込み線支持装置は、建物の壁などにボルト等にて固定された金具等から成り、本線から延びる引込み線を支持するとともに、その先端を建物内に導き得るよう構成されている。
【０００３】
その引込み線を支持する際には、本線から引込み線支持装置までの間に所定量の弛みを付与させておき、外気温の変化により引込み線の長さ寸法に変化があった場合や風等で引込み線が振れた場合に、引込み線支持装置に付与される張力が増加して引込み線が切れたり、引込み線支持装置が破損したりするのを抑制していた。然るに、比較的大きな地震や台風などの突風が吹いた際には、弛みによる張力増加の吸収ができないことが予想される。
【０００４】
そこで従来より、引込み線に過度な張力の増加があった場合、その増加分を吸収することができる引込み線支持装置が提案されており、例えば特許文献１で開示されたものがある。かかる引込み線支持装置は、外からの張力が予め設定された最大許容張力の限度を超えたときに、その張力に抗することなく張力緩和機構を働かせて、その張力緩和機構の長さを所望量だけ長くして張力を緩和させ得るようにしている。
【０００５】
【特許文献１】
特開平７−１０７６４７号公報
【０００６】
【発明が解決しようとする課題】
しかしながら、上記従来の引込み線支持装置においては、張力の増加による引込み線の切断或いは装置の破損等は防止できるものの、その後の復帰が容易ではないという問題があった。即ち、張力緩和機構が働いた後に、装置を元の状態に戻す作業が必要であるが、上記従来のものにおいては、ラックに係止された回動部材等を具備しているため、復旧作業が困難となってしまうのである。
【０００７】
本発明は、このような事情に鑑みてなされたもので、引込み線の張力の増加を確実に吸収し得るとともに、元の状態に戻すための復旧作業を容易とすることができる引込み線支持装置を提供することにある。
【０００８】
【課題を解決するための手段】
請求項１記載の発明は、建物に固定されつつ電線の引込み線を支持するための引込み線支持装置において、円筒状に形成され、その一端から引込み線の一部と連結されたワイヤが挿通された支持装置本体と、該支持装置本体内に配設され、前記ワイヤの基端を係止するとともに、当該支持装置本体内における長手方向に移動可能な摺動部材と、該摺動部材と前記支持装置本体の一端との間に配設された弾性部材と、前記摺動部材を前記支持装置本体内の所定位置に保持すべく所定の力で押圧する保持手段とを備えたことを特徴とする。
【０００９】
かかる構成によれば、引込み線の張力が増加して保持手段による摺動部材に対する押圧力を超えると、当該保持手段による保持が解除され、摺動部材が支持装置本体の一端に向かって移動するのであるが、その移動は、弾性部材の弾力に抗して行われ、摺動部材の移動速度が緩慢化される。これにより、引込み線の張力の増加を吸収することができるとともに、元の状態に戻すための復旧作業時には、摺動部材を保持手段まで移動させて所定位置での保持が施される。
【００１０】
請求項２記載の発明は、請求項１記載の引込み線支持装置において、前記保持手段は、前記摺動部材に当接可能な当接部と、該当接部を前記摺動部材に対して押圧する方向に付勢する圧縮コイルスプリングと、該圧縮コイルスプリングの縮み量を任意に調整して前記当接部の摺動部材に対する押圧力を調整する調整手段とを備えたことを特徴とする。
【００１１】
請求項３記載の発明は、請求項２記載の引込み線支持装置において、前記支持装置本体から延設されつつ先端が開口した筒状の第１収容部と、該第１収容部の先端側に螺合されて当該第１収容部の開口を覆うことが可能な第２収容部とが設けられ、これら第１収容部と第２収容部とが成す内部空間に前記圧縮コイルスプリングを収容するとともに、前記第２収容部の螺合位置を任意に調整することにより、当該圧縮コイルスプリングの縮み量が調整されることを特徴とする。
【００１２】
請求項４記載の発明は、請求項３記載の引込み線支持装置において、前記第２収容部の最適な螺合位置を作業者に表示するための目盛りが前記第１収容部の側面に設けられたことを特徴とする。
【００１３】
【発明の実施の形態】
以下、本発明の実施形態について図面を参照しながら具体的に説明する。
本実施形態に係る引込み線支持装置は、図１に示すように、電線の本線から建物に向かって延設された引込み線Ｈを支持するものであり、引込み線支持装置１と電柱Ｂとの間に所定量の弛みを持たせつつ引込み線Ｈの先端が建物内に導入され得るようになっている。
【００１４】
かかる引込み線支持装置１は、図２及び図３に示すように、円筒状に形成された支持装置本体２と、該支持装置本体２内に配設された摺動部材１１と、弾性部材としてのコイルスプリング７ａ〜７ｃと、一対の保持手段３とから主に構成されている。尚、コイルスプリング７ａの両端は、コイル座部８及び９に、コイルスプリング７ｂの両端は、コイル座部９及び１０に、コイルスプリング７ｃの両端は、コイル座部１０及び摺動部材１１にそれぞれ当接されている。
【００１５】
支持装置本体２は、その一端２ａからワイヤ６が挿通されており、他端２ｂ側に保持手段３が形成されたものである。また、支持装置本体２の外周面には、側方に切欠を有したカバー部材４が巻き付けられており、該カバー部材４の下端面が屈曲してフランジ部４ａが形成されている。
【００１６】
そして、支持装置本体２の下面とフランジ部４ａの下端面とに亘ってフランジ板５が固着されており、それぞれを貫通して複数のネジ孔４ａａが形成されている。このネジ孔４ａａにネジを挿通させることにより、建物に引込み線支持装置１を固定することができる。尚、引込み線支持装置１の固定に際しては、このようなネジの固定に限定されない。
【００１７】
ワイヤ６は、その先端６ａが引込み線Ｈの一部と連結されるとともに、コイル座部８〜１０及び摺動部材１１のそれぞれの略中央に穿設された貫通孔に挿通されつつ摺動部材１１の他端面側（図３中左端面側）にて基端６ｂが係止されている。即ち、ワイヤ６は、支持装置本体２の一端２ａ側から挿通され、コイルスプリング７ａ〜７ｃを介して摺動部材１１に係止されているのである。
【００１８】
摺動部材１１は、支持装置本体２内における長手方向に移動可能なもので、引込み線Ｈの張力が増加してワイヤ６が一端２ａ側に引っ張られると、図３中ａ方向に移動して当該張力の増加を吸収し得るよう構成されている。即ち、引込み線Ｈの張力の増加分は、摺動部材１１の変位による引込み線支持装置１と電柱Ｂ（図１参照）との間の寸法の増大にて吸収されるのである。
【００１９】
従って、引込み線Ｈの弛み量を最小限のものとしつつ、地震や風などで当該引込み線Ｈに過度の張力増加があった場合にも、その増加を吸収することができ、引込み線支持装置１の破損或いは引込み線Ｈの切断が回避されるのである。尚、このような張力増加の吸収は、免震構造の建物において特に有効に機能する。即ち、免震構造が採用された建物は、地震の際に水平方向に所定寸法変位可能とされているものが主流であるが、本実施形態に係る引込み線支持装置１によれば、かかる変位による引込み線Ｈの張力増加をも吸収することができるのである。
【００２０】
また、摺動部材１１と支持装置本体２の一端２ａとの間には、弾性部材としてのコイルスプリング７ａ〜７ｃが配設されているので、張力吸収時における摺動部材１１の移動速度を抑制することができ、引込み線支持装置１が破壊されてしまうのを更に確実に回避できる。即ち、摺動部材１１がワイヤ６に引っ張られてａ方向へ移動する際、コイルスプリング７ａ〜７ｃの弾力に抗することとなり、その移動速度が抑制さえて、衝撃が吸収されるのである。
【００２１】
尚、本実施形態においては、３つのコイルスプリング７ａ〜７ｃを直列に並べて弾性部材としているが、単一のコイルスプリングに代えてもよく、また、摺動部材１１の移動方向とは逆向きの弾力を付与し得る他の弾性部材（例えば、ワイヤ６を挿通した皿バネやゴム体など）としてもよい。
【００２２】
各保持手段３は、通常時において摺動部材１１を支持装置本体２内の所定位置（図３で示した位置）に保持すべく所定の力で押圧するものであり、摺動部材１１の側面に当接可能な当接部１４と、該当接部１４を摺動部材１１に対して押圧する方向に付勢する圧縮コイルスプリング１２と、調整手段としての第１収容部３ａ及び第２収容部３ｂとから構成されている。
【００２３】
より具体的に説明すると、図４及び図５に示すように、第１収容部３ａは、支持装置本体２の他端２ｂ側からその長手方向と略直交する方向に延設され、先端が開口した筒状のものから成るとともに、第２収容部３ｂは、第１収容部３ａの先端側に螺合されて当該第１収容部３ａの開口を覆うことが可能な蓋状のものから成り、これら第１収容部３ａと第２収容部３ｂとが成す内部空間に圧縮コイルスプリング１２が収容されている。
【００２４】
即ち、第１収容部３ａの外周面にネジ形状３ａａが形成されているとともに、そのネジ形状３ａａと螺合し得るネジ形状３ｂａが第２収容部３ｂの内周面に形成され、これらが螺合されているので、第２収容部３ｂを第１収容部３ａに対して回転させると、圧縮コイルスプリング１２を収容した内部空間の縦寸法を伸縮させることができるのである。これにより、圧縮コイルスプリング１２の縮み量を任意に調整することができる。
【００２５】
かかる圧縮コイルスプリング１２は、その一端が当接部１４に固定され、他端が第２収容部３ｂに形成された凸状座部１３に固定されているため、当接部１４を摺動部材１１方向に付勢しつつ、該摺動部材１１の第１収容部３ａ内での摺動を許容している。また、当接部１４には、ベアリング１５が形成されている一方、かかるベアリング１５と当接し得る凹溝１１ａが摺動部材１１の側面に形成されている。
【００２６】
尚、当接部１４の摺動部材１１側には、図５に示すように、その上下端近傍がプッシュナット１６にて固定されたベアリング軸Ｌが形成されており、該ベアリング軸Ｌにベアリング１５が支持されるよう構成されている。かかるベアリング１５の支持構造に代えて、他の支持構造（例えば位置決め用ネジにてベアリング軸Ｌを固定するもの）としてもよい。
【００２７】
これにより、通常時において摺動部材１１は、圧縮コイルスプリング１２にて付勢された一対のベアリング１５にて押圧され、支持装置本体２内における他端２ｂ側の所定位置に保持されるとともに、引込み線Ｈの張力増加に伴ってワイヤ６が引っ張られ、所定以上の力（圧縮コイルスプリング１２による付勢力以上の力）が加わると、凹溝１１ａがベアリング１５のアウタレースをインナレース（いずれも不図示）に対して相対的に回動させつつ、当該ベアリング１５を含む当接部１４を保持手段３内部に押し込める。
【００２８】
しかして、摺動部材１１は、保持手段３による保持が解かれ、コイルスプリング７ａ〜７ｃの弾力に抗しつつ支持装置本体２の一端２ａ側へ移動するので、引込み線Ｈの張力増加を吸収することができるのである。その後、引込み線支持装置１を元の状態（通常状態）に戻すには、摺動部材１１を支持装置本体２の他端２ｂ側へ移動させ、その凹溝１１ａにベアリング１５を当接させる。
【００２９】
よって、引込み線支持装置１を元の状態に戻すための復旧作業は、単に摺動部材１１を元の位置に戻す作業で足り、復旧作業を容易とし、且つ、復旧に伴う部品の交換等を不要とすることができる。また、摺動部材１１が過度な力で引っ張られても、コイルスプリング７ａ〜７ｃの弾力により、その移動速度が緩慢化されるので、衝撃によって引込み線支持装置１が破壊されるのを回避することができる。
【００３０】
即ち、摺動部材１１の保持が保持手段３による押圧力にて行われているので、保持の解除後においても当該保持手段３は破壊等されずに残り、復旧に伴う部品の交換作業をなくすことができるのである。尚、本実施形態におけるベアリング１５は、ローラベアリングやボールベアリング等汎用的なベアリングを用いるのが好ましいが、ローラ部材や単なるローラ形状等に代えてもよい。
【００３１】
更に、第１収容部３ａの側面には、図６に示すように、第２収容部３ｂの最適な螺合位置を作業者に表示するための目盛り１７が設けられている。即ち、第２収容部３ｂを回転すれば、第１収容部３ａに対して同図ｘ方向へ移動して当該第２収容部３ｂの螺合位置を変えることができるので、目盛り１７に従って第２収容部３ｂを移動させれば、内部の圧縮コイルスプリング１２の縮み量を変化させることができる。
【００３２】
これにより、作業者は、引込み線Ｈの本数や電柱Ｂからの長さに応じて、保持手段３による押圧力を任意に設定することができ、引込み線支持装置１の初期設定を容易に行うことができる。具体的には、目盛り１７には、引込み線の長さ等に応じた引っ張り荷重を記しておき、条件に合った目盛り１７に合わせて第２収容部３ｂの螺合位置を調整すれば、適切な押圧力にて摺動部材１１を保持させることができるのである。
【００３３】
尚、目盛り１７は、第１収容部３ａの側面に刻印するようにしてもよいし、印刷にて記載するようにしてもよい。また、引込み線Ｈの条件と保持手段３による押圧力との対照表を別途作成しておき、初期設定作業時或いは復旧作業時に当該対象表に基づいた目盛り１７に第２収容部３ｂの螺合位置を調整し得るようにしてもよい。
【００３４】
このように、目盛り１７を記すことにより、摺動部材１１に対する当接部１４の押圧力をより早く且つ正確に調整することができ、引込み線支持装置１における設置作業時及び復旧作業時の作業性を向上させることができる。勿論、目盛り１７を具備させず、第２収容部３ｂを何回回転させれば引込み線Ｈの条件に合致するのかを予め設定しておいてもよい。
【００３５】
以上、本実施形態について説明したが、本発明はこれに限定されず、例えば図７に示すように、建物にリング状のガイド部材Ｇを固設しておき、該ガイド部材Ｇにワイヤ６を挿通させ、その先端に引込み線Ｈの一部を連結させるようにしてもよい。このようにすれば、引込み線支持装置１を建物に対して縦方向に設置したとしても、引込み線Ｈの張力増加を有効に吸収することができる。
【００３６】
また、本実施形態においては、保持手段３を支持装置本体２の側面から２つ延設させているが、保持力が保たれるのであれば、１つとしてもよい。更に、保持手段は、本実施形態のものに限定されず、摺動部材１１を通常状態において保持するとともに引込み線Ｈの張力増加時には保持を解除し得るものであれば、他の構成としてもよい。
【００３７】
【発明の効果】
請求項１の発明によれば、引込み線の張力の増加を確実に吸収し得るとともに、復旧時には摺動部材を保持手段の位置まで移動させれば足りるため、引込み線支持装置を元の状態に戻すための復旧作業を容易とすることができる。加えて、摺動部材と支持装置本体の一端との間に弾性部材が介在しているので、当該摺動部材の移動速度を抑制することができ、引込み線支持装置が破壊されてしまうのを回避できる。
【００３８】
請求項２の発明によれば、調整手段にて圧縮コイルスプリングの縮み量を任意に調整して当接部の摺動部材に対する押圧力を調整することができるので、引込み線の量や長さ等の条件を考慮した最適な引込み線の支持を容易に行うことができる。
【００３９】
請求項３の発明によれば、第２収容部に対する第１収容部の螺合位置を任意に調整することにより、圧縮コイルスプリングの縮み量を調整しているので、より容易に摺動部材に対する押圧力を調整することができる。また、第２収容部の第１収容部に対する螺合を加減することにより圧縮コイルスプリングの縮み量を調整しているので、簡単な構成で確実に当該調整を行うことができ、より適切に摺動部材を保持させることができる。
【００４０】
請求項４の発明によれば、第２収容部の最適な螺合位置を作業者に表示するための目盛りが第１収容部の側面に設けられているので、摺動部材に対する当接部の押圧力をより早く且つ正確に調整することができ、引込み線支持装置における設置作業時及び復旧作業時の作業性を向上させることができる。
【図面の簡単な説明】
【図１】本発明の実施形態に係る引込み線支持装置を建物に固設した状態を示す模式図
【図２】本発明の実施形態に係る引込み線支持装置を示す斜視図
【図３】本発明の実施形態に係る引込み線支持装置を上方から見た縦断面図
【図４】同保持手段近傍を拡大した拡大断面図
【図５】図３におけるＶ−Ｖ線断面図
【図６】本発明の実施形態に係る引込み線支持装置における保持手段の拡大側面図
【図７】本発明の実施形態に係る引込み線支持装置における建物に対する他の設置状態を示す模式図
【符号の説明】
１…引込み線支持装置
２…支持装置本体
３…保持手段
３ａ…第１収容部
３ｂ…第２収容部
４…カバー部材
５…フランジ板
６…ワイヤ
７ａ〜７ｃ…コイルスプリング（弾性部材）
８〜１０…コイル座部
１１…摺動部材
１２…圧縮コイルスプリング
１３…凸状座部
１４…当接部
１５…ベアリング
１６…プッシュナット
１７…目盛り
【図１】
2004173470.tif 000003
【図２】
2004173470.tif 000004
【図３】
2004173470.tif 000005
【図４】
2004173470.tif 000006
【図５】
2004173470.tif 000007
【図６】
2004173470.tif 000008
【図７】
2004173470.tif 000009